(57)【要約】【課題】チューブの装着部が狭い場所に位置している場合でも、治具等を使用して作業者が容易にチューブを装着部に取り付けることができるバネクランプを提供すること【解決手段】  線形材料２５を巻回して構成された締め付けリング部２７と、締め付けリング部から２方向に延びる線形材料２５で構成された第１アーム部２９と第２アーム部３１とを備え、第１アーム部及び第２アーム部を互いの方へ押圧することにより締め付けリング部２７の内径が拡大して締め付け力を解除可能なバネクランプ１であり、各アーム部２９、３１には押圧力を集中して受ける形状の被押圧部３３が設けられている。被押圧部３３はリング状に巻回されて形成されていてもよい。また締め付けリング部２７の中心と第１アーム部２９及び第２アーム部３１における各被押圧部３３の中心との位置関係は、締め付けリング部の中心を頂点とする二等辺三角形であってもよい。【選択図】図４
2008064289.tif 000002
【特許請求の範囲】
【請求項１】
線形材料を巻回して構成された締め付けリング部と、
前記締め付けリング部から２方向に延びる線形材料で構成された第１アーム部と第２アーム部とを備え、
前記第１アーム部及び第２アーム部を互いの方へ押圧することにより前記締め付けリング部の内径が拡大して締め付け力を解除可能なバネクランプであって、
前記各アーム部には押圧力を集中して受ける形状の被押圧部が設けられていることを特徴とするバネクランプ。
【請求項２】
請求項１に記載のバネクランプにおいて、前記被押圧部はリング状に巻回されて形成されていることを特徴とするバネクランプ。
【請求項３】
請求項１または２に記載のバネクランプにおいて、前記締め付けリング部の中心と前記第１アーム部及び第２アーム部における各被押圧部の中心との位置関係は、前記締め付けリング部の中心を頂点とする二等辺三角形であることを特徴とするバネクランプ。
【請求項４】
請求項２または３に記載のバネクランプにおいて、前記締め付けリング部と前記第１アーム部とは第１接続部において接続され、前記締め付けリング部と前記第２アーム部とは第２接続部において接続されており、前記締め付けリング部は前記第１接続部と第２接続部との間において線形材料が重なった重複部を備え、前記第１アーム部における前記リング状の被押圧部は、前記重複部において前記第１接続部が位置する側の方向へ巻回されており、前記第２アーム部における前記リング状の被押圧部は、前記重複部において前記第２接続部が位置する側の方向へ巻回されていることを特徴とするバネクランプ。
【請求項５】
請求項２または３に記載のバネクランプにおいて、前記締め付けリング部と前記第１アーム部とは第１接続部において接続され、前記締め付けリング部と前記第２アーム部とは第２接続部において接続されており、前記締め付けリング部は前記第１接続部と第２接続部との間において線形材料が重なった重複部を備え、前記第１アーム部における前記リング状の被押圧部は、前記重複部において前記第２接続部が位置する側の方向へ巻回されており、前記第２アーム部における前記リング状の被押圧部は、前記重複部において前記第１接続部が位置する側の方向へ巻回されていることを特徴とするバネクランプ。
【請求項６】
請求項２または３に記載のバネクランプにおいて、前記締め付けリング部と前記第１アーム部とは第１接続部において接続され、前記締め付けリング部と前記第２アーム部とは第２接続部において接続されており、前記締め付けリング部は前記第１接続部と第２接続部との間において線形材料が重なった重複部を備え、前記第１アーム部における前記リング状の被押圧部は、前記重複部において前記第１接続部が位置する側の方向へ巻回されており、前記第２アーム部における前記リング状の被押圧部も、前記重複部において前記第１接続部が位置する側の方向へ巻回されていることを特徴とするバネクランプ。
【発明の詳細な説明】
【技術分野】
【０００１】
本発明は、液体や気体を搬送するチューブを円筒状の装着部の外側に嵌め込んだ状態で、チューブが抜けることを防止するためのバネクランプに関するものである。
【背景技術】
【０００２】
例えば、インクジェットプリンタの記録ヘッドでのインクの乾燥固化を防止するシステムでは、記録ヘッドをキャップで封止し、封止空間をチューブを介して吸引ポンプで減圧して記録ヘッドのインク吐出孔からインクを吸引し、廃インク用タンクへ案内する構造を備えている。チューブの端部は、前記タンクから突出形成されている円筒状の装着部の外側に嵌め込まれ、その周囲にバネクランプを設けてバネクランプの内側への収縮力によりチューブの端部が確実に装着部に固定されるようにしている。
【０００３】
このようなバネクランプの一例が特許文献１に開示されている。即ち特許文献１には、可撓性ホースの端末部に金属チューブの端末部を差し込んで成る低圧ホース接続部の外周に装着される低圧ホース用板バネクランプが、装着後に板バネ部が一定量以上に拡がらないようにできるストッパーを備えている構成を開示している。
【０００４】
しかし、特許文献１に開示されているようなバネクランプは、比較的アクセスし易い場所で使用するのには適するが、上述のようなインクジェットプリンタの廃インク用タンクの周辺のように部材が密に配置され、チューブの装着部が狭い場所に位置している場合には、作業者がバネクランプを取り付けにくい。また、構造が比較的複雑であるためコスト高になりがちである。
【特許文献１】特開平９−４７７６号公報
【発明の開示】
【発明が解決しようとする課題】
【０００５】
本発明の目的は、チューブの装着部が狭い場所に位置している場合でも、治具等を使用して作業者が容易にチューブを装着部に取り付けることができるバネクランプを提供することにある。
【課題を解決するための手段】
【０００６】
上記課題を達成するため、本発明の第１の態様に係るバネクランプは、線形材料を巻回して構成された締め付けリング部と、前記締め付けリング部から２方向に延びる線形材料で構成された第１アーム部と第２アーム部とを備え、前記第１アーム部及び第２アーム部を互いの方へ押圧することにより前記締め付けリング部の内径が拡大して締め付け力を解除可能なバネクランプにおいて、前記各アーム部には押圧力を集中して受ける形状の被押圧部が設けられていることを特徴とするものである。
【０００７】
本発明の第１の態様によれば、押圧力を集中して受ける形状の被押圧部を互いの方へ押し込むだけで容易に締め付けリング部の内径を拡大させて締め付け力を解除することができる。また、高剛性材の線形材料を巻回するだけで容易に形成できるから、低コストのバネクランプを提供できる。
【０００８】
また、本発明の第２の態様に係るバネクランプは、上記第１の態様において、前記被押圧部はリング状に巻回されて形成されていることを特徴とするものである。  
本態様によれば、リング状に巻回された被押圧部に指を入れたり、ニッパの先端を入れて、両方の被押圧部が互いの方へ近づくように押圧力を集中して掛けることができる。また、押圧力を掛けている間にニッパの先端がずれたり被押圧部から外れることを防止できる。
【０００９】
また、本発明の第３の態様に係るバネクランプは、上記第１の態様または第２の態様において、前記締め付けリング部の中心と前記第１アーム部及び第２アーム部における各被押圧部の中心との位置関係は、前記締め付けリング部の中心を頂点とする二等辺三角形であることを特徴とするものである。本態様によれば、両方の被押圧部にバランス良く押圧力を掛けることができる。
【００１０】
また、本発明の第４の態様に係るバネクランプは、上記第２の態様または３の態様において、前記締め付けリング部と前記第１アーム部とは第１接続部において接続され、前記締め付けリング部と前記第２アーム部とは第２接続部において接続されており、前記締め付けリング部は前記第１接続部と第２接続部との間において線形材料が重なった重複部を備え、前記第１アーム部における前記リング状の被押圧部は、前記重複部において前記第１接続部が位置する側の方向へ巻回されており、前記第２アーム部における前記リング状の被押圧部は、前記重複部において前記第２接続部が位置する側の方向へ巻回されていることを特徴とするものである。
【００１１】
本態様によれば、両方のリング状の被押圧部を互いの方へ押圧して第１アーム部と第２アーム部とが重なる位置までバネクランプを変形させたときに、２つの被押圧部同士が互いに干渉しないから、十分にバネクランプの締め付け力を解除できるまで被押圧部を押圧することができる。
【００１２】
また、本発明の第５の態様に係るバネクランプは、上記第２の態様から第３の態様のいずれかにおいて、前記締め付けリング部と前記第１アーム部とは第１接続部において接続され、前記締め付けリング部と前記第２アーム部とは第２接続部において接続されており、前記締め付けリング部は前記第１接続部と第２接続部との間において線形材料が重なった重複部を備え、前記第１アーム部における前記リング状の被押圧部は、前記重複部において前記第２接続部が位置する側の方向へ巻回されており、前記第２アーム部における前記リング状の被押圧部は、前記重複部において前記第１接続部が位置する側の方向へ巻回されていることを特徴とするものである。
【００１３】
本態様によれば、両方のリング状の被押圧部を互いの方へ押圧したときに、第１接続部と第２接続部がそれぞれ対向する線形材料から離れる方向へのモーメントが作用しにくいため、確実にバネクランプの締め付け力を解除することができる。
【００１４】
また、本発明の第６の態様に係るバネクランプは、上記第２の態様から第３の態様のいずれかにおいて、前記締め付けリング部と前記第１アーム部とは第１接続部において接続され、前記締め付けリング部と前記第２アーム部とは第２接続部において接続されており、前記締め付けリング部は前記第１接続部と第２接続部との間において線形材料が重なった重複部を備え、前記第１アーム部における前記リング状の被押圧部は、前記重複部において前記第１接続部が位置する側の方向へ巻回されており、前記第２アーム部における前記リング状の被押圧部も、前記重複部において前記第１接続部が位置する側の方向へ巻回されていることを特徴とするものである。
【００１５】
本態様によれば、両方のリング状の被押圧部を互いの方へ押圧したときに、２つの被押圧部同士が互いに当接し、それ以上の変形が不可能となるから、バネクランプに必要以上の力が加わり、線形材料が塑性変形することを防止できる。
【発明を実施するための最良の形態】
【００１６】
以下、本願発明の実施の形態を図面に基づいて説明する。図１は本発明に係るバネクランプを適用したプリンタの後方斜視図であり、図２はプリンタの後方拡大斜視図であり、図３は本発明のバネクランプの使用状態を示す斜視図であり、図４は本発明のバネクランプの一実施形態を示す斜視図であり、図５は本発明のバネクランプの他の実施形態を示す斜視図であり、図６は本発明のバネクランプの他の実施形態を示す斜視図であり、図７は他の形態の被押圧部を有する実施形態の斜視図である。
【００１７】
本発明のバネクランプ１は、例えば図１に示すようなインクジェット式記録装置３（以下、単に記録装置という）に適用できる。記録装置３は、図示しない被記録媒体にインクを噴射して記録を行う記録ヘッド５を被記録媒体に対して主走査方向に走査させるためのキャリッジ７を備えている。被記録媒体の始端の記録時には、被記録媒体の始端よりも下流側に外れた廃インクが、下流側に位置する凹部（図示せず）に打ち捨てられ、被記録媒体の終端の記録時には、被記録媒体の終端よりも上流側に外れた廃インクが、上流側に位置する凹部（図示せず）に打ち捨てられる。
【００１８】
凹部の下流側は可撓性チューブからなるインク吸引管９に接続されており、インク吸引管９は図２に示す如く、途中、インク吸引ポンプ１１を介した後、その下流端１３が廃インク用タンク（図示せず）に繋がる流路１５に接続されている。本実施の形態では、廃インク用タンクはインクカートリッジ内に設けられている。インク吸引ポンプ１１は回転軸１７の周囲で回転可能な回転体１９を備え、回転体１９とその周囲に形成される外壁部２０との間にインク吸引管９が配されるようになっている。また回転体１９の周囲にはローラ２１が設けられ、回転体１９が回転するとき、ローラ２１が可撓性のインク吸引管９を潰すことにより、ローラ２１の周面と外壁部２０との間で可撓性のインク吸引管９が順次弾性変形していき、その結果インク吸引ポンプ１１より上流のインク吸引管９内に負圧を生じさせるようになっている。これにより廃インクが、インク吸引管９を通り廃インク用タンクに運搬される。このようなインク吸引ポンプ１１の一例は特開２００１−３１０４８６号に開示されている。
【００１９】
廃インク用タンクに繋がる流路１５には、インク吸引管９の下流端１３が丁度嵌まる外径を有する円筒状の装着部２３が形成されており、この装着部２３の外側にインク吸引管９の下流端１３が嵌め込まれている。そしてインク吸引管９の下流端１３の周囲にはバネクランプ１が設けられ、そのクランプ力によりインク吸引管９の下流端１３が装着部２３から抜けることを防止している。
【００２０】
バネクランプ１は、全体が鋼線などの一本の線形材料２５を使用して構成されており、線形材料２５をほぼ１回巻回させて構成された締め付けリング部２７と、締め付けリング部２７から２方向に延びる同じ線形材料２５で構成された第１アーム部２９と第２アーム部３１とを備えている。第１アーム部２９及び第２アーム部３１の各端部には、同じ線形材料２５をリング状に巻回して構成される被押圧部３３、３５が形成されている。各リング状の被押圧部３３、３５内に指またはニッパなどの治具を入れて互いが近づく方向に押圧することにより、被押圧部３３、３５の互いに最も近い位置に押圧力が集中する。この押圧力により締め付けリング部２７の内径が拡大して、締め付け力を解除することができる。
【００２１】
締め付けリング部２７の中心Ａと、第１アーム部２９及び第２アーム部３１における各被押圧部３３、３５の中心Ｂ、Ｃとは、締め付けリング部２７の中心Ａを頂点とする二等辺三角形であるような位置関係を有する。
【００２２】
次に、締め付けリング部２７の巻回状態と各被押圧部３３、３５の巻回状態との関係について説明する。図４に示す実施形態では、締め付けリング部２７と第１アーム部２９とは第１接続部３７において接続され、また締め付けリング部２７と第２アーム部３１とは第２接続部３９において接続されている。そして、締め付けリング部２７は、第１接続部３７と第２接続部３９との間において線形材料２５が重なった重複部４１を備えている。
【００２３】
図４（ａ）（ｂ）に示す如く、第１アーム部２９におけるリング状の被押圧部３３は、重複部４１において第１接続部３７が位置する側の方向へ向かって巻回されており、また第２アーム部３１におけるリング状の被押圧部３５は、重複部４１において第２接続部３９が位置する側の方向へ向かって巻回されている。このような構成により、両方のリング状の被押圧部３３を互いの方へ押圧して第１アーム部２９と第２アーム部３１とが重なる位置までバネクランプ１を変形させたときに、２つの被押圧部３３同士が互いに干渉しないから、バネクランプ１の締め付け力を十分に解除できるまで被押圧部３３を押圧することができる。
【００２４】
また図５に示す実施形態では、締め付けリング部２７の構成は図４の実施形態と同様であるが、図５（ａ）（ｂ）に示す如く、第１アーム部２９におけるリング状の被押圧部３３は、重複部４１において第２接続部３９が位置する側の方向へ向かって巻回されており、また第２アーム部３１におけるリング状の被押圧部３５は、重複部４１において第１接続部３７が位置する側の方向へ向かって巻回されている。このような構成により、両方のリング状の被押圧部３３を互いの方へ押圧したときに、第１接続部３７と第２接続部３９とがそれぞれ対向する線形材料から離れる方向へのモーメントが作用しにくいため、確実にバネクランプ１の締め付け力を解除することができる。
【００２５】
また図６に示す実施形態では、締め付けリング部２７の構成は図４の実施形態と同様であるが、図６（ａ）（ｂ）に示す如く、第１アーム部２９におけるリング状の被押圧部３３は、重複部４１において第１接続部３７が位置する側の方向へ向かって巻回されており、第２アーム部３１におけるリング状の被押圧部３５も、重複部４１において第１接続部３７が位置する側の方向へ向かって巻回されている。このような構成により、両方のリング状の被押圧部３５を互いの方へ押圧したときに、２つの被押圧部３５同士が互いに当接し、それ以上の変形が不可能となるから、バネクランプ１に必要以上の力が加わり、線形材料が塑性変形することを防止できる。
【００２６】
図４、図５、図６に示すいずれの実施形態においても、締め付けリング部２７における線形材料２５の巻き数は、バネクランプの締め付け力や線形材料２５の材質に応じて１以上の適宜の数に設定することができる。またリング状の被押圧部３５における線形材料２５の巻き数やその大きさもニッパなど使用時に被押圧部３５に挿入する治具の種類に応じて適宜決定することができる。
【００２７】
また上記実施形態では、押圧力を集中して受ける形状の被押圧部がいずれもリング形状であるが、この他にも例えば図７（ａ）に示す如く内側に「く」の字形に屈曲した部分を被押圧部３３、３５としたり、図７（ｂ）に示す如く内側に「コ」の字形に形成された部分を被押圧部３３、３５とすることもできる。
【図面の簡単な説明】
【００２８】
【図１】本発明に係るバネクランプを適用したプリンタの後方斜視図。
【図２】プリンタの後方拡大斜視図。
【図３】本発明のバネクランプの使用状態を示す斜視図。
【図４】本発明のバネクランプの一実施形態を示す斜視図。
【図５】本発明のバネクランプの他の実施形態を示す斜視図。
【図６】本発明のバネクランプの他の実施形態を示す斜視図。
【図７】他の形態の被押圧部を有する実施形態の斜視図。
【符号の説明】
【００２９】
１  バネクランプ、３  インクジェット式記録装置、５  記録ヘッド、７  キャリッジ、９  インク吸引管、１１  インク吸引ポンプ、１３  インク吸引管の下流端、１５  廃インク用タンクに繋がる流路、１７  回転軸、１９  回転体、２０  外壁部、２１  ローラ、２３  装着部、２５  線形材料、２７  締め付けリング部、２９  第１アーム部、３１  第２アーム部、３３  被押圧部、３５  被押圧部、３７  第１接続部、３９  第２接続部、４１  重複部、Ａ  締め付けリング部の中心、Ｂ  第１アーム部の被押圧部の中心、Ｃ  第２アーム部の被押圧部の中心
【図１】
2008064289.tif 000003
【図２】
2008064289.tif 000004
【図３】
2008064289.tif 000005
【図４】
2008064289.tif 000006
【図５】
2008064289.tif 000007
【図６】
2008064289.tif 000008
【図７】
2008064289.tif 000009